(57)【要約】【課題】  木材の集積、移動、加工に耐えると共に明確に位置を確認して容易にデータの入力、読み取り等を可能にする木材用認証タグの取付構造を提供すること。【解決手段】  所定長さを有する木材に凹状部３０を設け、この凹状部内に認証タグ３４を取り付ける木材用認証タグの取付構造において、前記認証タグ３４は、弾性材３５にＩＣチップ３６を埋め込むことにより形成され、前記弾性材３５の弾力によって前記凹状部内に取り付けられる木材用認証タグの取付構造である。【選択図】  図７
2012027947.tif 000002
【特許請求の範囲】
【請求項１】
所定長さを有する木材に凹状部を設け、この凹状部内に認証タグを取り付ける木材用認証タグの取付構造において、
前記認証タグは、弾性材にＩＣチップを埋め込むことにより形成され、前記弾性材の弾力によって前記凹状部内に取り付けられることを特徴とする木材用認証タグの取付構造。
【請求項２】
前記凹状部の開口部分を栓状部材で塞ぐことを特徴とする請求項１記載の木材用認証タグの取付構造。
【請求項３】
前記栓状部材は着色されていることを特徴とする請求項２記載の木材用認証タグの取付構造。
【発明の詳細な説明】
【技術分野】
【０００１】
本発明は、例えば、住宅用木材のプレカット加工管理等に使用する木材用認証タグの取付構造に関する。
【背景技術】
【０００２】
図１３は、従来の一般的なプレカット製品の加工、出荷等の流れを示すブロック図である。一般に、住宅メーカあるいは工務店（以下「住宅メーカ等」と略称する）Ａは、顧客から住宅建築を受注し、住宅建築用図面を作成する。住宅メーカ等Ａが作成した前記住宅建築用図面に合わせてプレカット会社ＢがＣＡＤ入力し（ステップｂ２）、製品を加工するためその入力データが所望のものかを住宅メーカ等Ａが確認後、プレカット会社Ｂにプレカット製品を発注する（ステップａ１）。プレカット会社Ｂにおいては、受注（ステップｂ１）後、前記入力データに基づいて、木取割付票、木出し表及び加工データを作成し、生産計画を立案する（生産管理）（ステップｂ３）。ここで、プレカット製品の加工に必要な原材料木材（素材）を木材販売会社Ｃに発注する（ステップｂ４）。必要に応じて、棚卸及び入出庫管理（在庫管理）を実施する（ステップｂ５）。木材販売会社Ｃにおいては、原材料木材を受注（ステップｃ１）することにより、指定された木材を選択し、木材販売会社Ｃの木材倉庫１からプレカット会社Ｂに納入する（ステップｃ２）。原材料木材が納入されたプレカット会社Ｂでは、木出作業（ステップｂ６）を行ない、プレカット設備２で長さ切断を含むプレカット加工をしてプレカット製品とし（ステップｂ７）、検品、梱包、保管を行ない（ステップｂ８）、住宅メーカ等Ａの建築現場３に出荷、配送する（ステップｂ９）。建築現場３ではプレカット製品が検収される（ステップａ２）。
【０００３】
上記のように、木材の発注は、住宅メーカ等Ａ、プレカット会社Ｂ、木材販売会社Ｃの順に行なわれ、木材は、木材販売会社Ｃ、プレカット会社Ｂ、住宅メーカ等Ａの順に納入される。また、木材の加工は、プレカット会社Ｂのプレカット設備２で行なわれ、原材料木材の在庫等の管理は、プレカット会社Ｂ、木材販売会社Ｃにてそれぞれ行われる。特に、住宅メーカ等Ａ、プレカット会社Ｂ、木材販売会社Ｃは、それぞれ複数存在し、それぞれの会社間の関連（原材料発注、原材料納品、プレカット製品発注、プレカット製品納入等）は各会社数に応じて発生し、更に、建築現場は物件毎に管理されている。
【０００４】
上記のように、木材は、木材販売会社Ｃ、プレカット会社Ｂ、住宅メーカ等Ａの間にてそれぞれ搬入、搬送されると共に、各社あるいは建築現場にて個々に管理、加工されている。また、一般に、建築現場で必要とされる木材、例えば家屋１棟分をまとめて搬入、加工、搬送することが行われている。このため、管理すべき事項は多岐にわたると共に、各社、各現場にてそれぞれ管理することが必要であったが、作業者が手作業で木材を確認することで管理していたので、管理作業が非常に煩雑で手間がかかるという問題があった。
【０００５】
また、インターネットやオンラインを利用して木材を管理するシステムが本願出願人により提案されている（特願２００６−１３５８３０号）。このシステムにおいては、データの入力や読み取りにＩＣタグ等の認証タグを用いており、認証タグの使用によって管理作業が簡便になることが確認されている。しかしながら、木材の表面はささくれ立っていたり、ゴミ、ホコリ等が付着しているためシート状の認証タグを貼り付けても剥離することがあった。また、木材は積み重ねられると共に切断、切削等の加工が施されるため、単にＩＣタグと木材の表面に取り付けるだけでは、重なり合った木材で認証タグの位置がわからなくなったり、擦れて損傷又は剥がれ落ちるという問題の発生が予測された。
【発明の開示】
【発明が解決しようとする課題】
【０００６】
本発明が解決しようとする課題は、上記問題の発生を防ぎ、集積、移動、加工に耐えると共に明確に位置を確認して容易にデータの入力、読み取り等を可能にする木材用認証タグの取付構造を提供することにある。
【課題を解決するための手段】
【０００７】
本発明の木材用認証タグの取付構造は、所定長さを有する木材に設ける凹状部は、該木材を集積した際に重なり合わない位置にあり、該凹状部内に認証タグを取り付けるものである。この木材用認証タグの取付構造における前記凹状部は、前記木材の切削される部位と干渉しない位置に設けられる。また、前記凹状部は、前記木材の平面部に形成された凹部、前記木材の角部に形成された凹部、前記木材の切断端面に形成された凹部の一つ又はそれらの組み合わせからなる。また、前記凹部は、その内部空間の形状が角柱、三角柱、円柱、半円柱、楕円柱の何れかからなる。また、前記認証タグは、前記凹状部の内面に接着剤により固着される。また、前記認証タグは、弾性材にＩＣチップを埋め込むことにより形成され、前記弾性材の弾力によって前記凹状部内に取り付けられる。また、前記認証タグは、前記凹状部内に収められ、該凹状部の開口部分を栓状部材で塞ぐことにより取り付けられる。また、前記認証タグは、前記凹状部内に収められ、前記認証タグの上から接着剤を吹き付けることにより取り付けられる。また、前記接着剤又は栓状部材は着色されている。
【発明の効果】
【０００８】
本発明によれば、所定長さを有する木材に設ける凹状部は、該木材を集積した際に重なり合わない位置にあり、その中に認証タグを取り付けているので、加工前で表面が粗い木材に認証タグを取り付けても、簡単に剥がれたり、重なり合う木材で擦れて損傷することがない。特に、木材の平面部だけでなく、角部や切断端面に凹状部を設けることにより、断面形状が矩形だけでなく、丸形、三角形あるいは多角形等からなる木材であっても集積したときに認証タグを確認し易い位置に取り付けることができる。
【０００９】
また、接着剤で認証タグを固着する際に、凹状部を設けたことで接着剤が接着位置から流出することがなく、無駄なく強固に認証タグを取り付けることができる。また、凹状部を、その内部空間形状が円柱等の形状となる孔状に形成し、その中に弾性材にＩＣチップを埋め込んだ認証タグを収めることで、接着剤を使用することなく、認証タグを取り付けることができる。
【００１０】
また、凹状部に認証タグを収めた後、凹状部の開口部を栓状部材によって塞ぐことにより、認証タグを確実に木材に取り付けることができる。
【００１１】
また、凹状部に収めた認証タグに接着剤を吹き付けてコーティングすることで木材に固着することもでき、その接着剤を着色することで、認証タグの位置をより明確に示すことができる。
【発明を実施するための最良の形態】
【００１２】
本発明の木材用認証タグの取付構造における認証タグは、建造物の組立材として使用する所定長さを有する木材に設けた凹状部内に取り付けられる。凹状部は、木材を集積したときに該凹状部同士が重なり合わない位置に設けられ、例えば、木材の平面部、平面部の隅または角部、切断端面等に形成された凹部からなる。認証タグは、凹状部の内面に接着されるか、凹状部内に押し込まれることで取り付けられる。また、凹状部の開口部分を接着剤の吹き付けあるいは栓状部材で塞ぐことにより、より確実に認証タグを取り付けている。
【００１３】
上記のように、木材の凹状部内に取り付けられた認証タグは、木材を積み重ねたり、切断、切削加工を施したりしても、直接木材同士あるいは加工機械の加工台等に触れることがないため、脱落あるいは損傷することがない。また、木材の角部や切断端面等に設けられた凹状部は、木材を重ねても、木材同士の間や側方から目視で確認可能であり、その位置を容易に確認することができる。
【実施例】
【００１４】
図１は本発明の一実施例に係る木材用認証タグの取付構造を示す斜視図である。木材１０は、原材料としての状態にあり、切断、切削等の加工が施される前の状態にある。このような原材料としての木材１０の場合、端部の矩を出したり、木造建築物の組立材として使用する所定長さの複数の半製品に分割するため、切断部位１１，１２，１３にてプレカット切断加工が施される。このような切断部位１１，１２，１３に干渉しない位置に、窪み加工等を施して凹部１４，１５，１６を形成する。
【００１５】
凹部１４，１５は、木材１０の平面部（図１における上面）に形成され、凹部１６は木材１０の切断端面（図１における左端面）に形成されている。この凹部１４，１５，１６は、１〜２ｍｍ程度の窪み加工、又は深さ１〜１０ｍｍ程度の切削加工等のプレカット加工で通常実施されている比較的容易な加工を施すことにより形成されている。また、この凹部１４，１５，１６は、その内部空間形状が四角柱をなすように形成されている。
【００１６】
このように形成された凹部１４，１５，１６は、その内面が平滑で汚れやホコリを取り除いた状態となっている。認証タグたるＩＣタグ１７は、この凹部１４，１５，１６の底部にそれぞれ取り付けられる。このＩＣタグ１７は、図２に示すように、送受信用のアンテナパターンが設けられた薄いシート状のフレキシブル基板１８と、このフレキシブル基板１８に実装されたＩＣチップ１９とから構成されている。このＩＣタグ１７には、原材料木材を特定する製造元、製造日、樹種、等級、Ｗ（幅）、Ｈ（高さ）、Ｌ（長さ）、価格等のデータ、半製品及び製品を特定する製造元、製造日、樹種、Ｗ（幅）、Ｈ（高さ）、Ｌ（長さ）、価格、住宅メーカ等の名称、棟名、部品コード、プレカット加工場所、加工予定日、加工内容、加工終了、出荷予定日、手加工、組立手順、構造補強金具使用等のデータが適宜書き込み又は書き換えられて保有されている。
【００１７】
上記のように凹部１４，１５，１６内にＩＣタグ１７を取り付けた木材１０は、搬送・搬入時、プレカット加工時、組立時等において、それぞれリーダライタにてＩＣタグ１７に保有されたデータを読むことで簡単に木材１０やその製品の状態を把握し、管理することができる。尚、搬送用の機器や加工機にリーダライタを設置することでデータの書き込みや読み取りを自動化することも可能である。
【００１８】
次に、凹部の形成位置及びその形状の変更例を説明する。図３は断面が矩形をなす木材１０の角部に凹部２０，２１，２２を設けた状態を示す斜視図である。凹部２０，２１，２２は、その内部空間形状がそれぞれ四角柱、略半円柱（半割円柱）、三角柱をなす。この凹部２０，２１，２２は図３において上方と手前の２方向が開口した状態になっている。ＩＣタグ１７は、凹部２０に取り付ける場合、底面２０ａ又は側面２０ｂに取り付けられ、凹部２１に取り付ける場合、平面からなる側面２１ａに取り付けられ、凹部２２に取り付ける場合、傾斜した平面からなる底面２２ａに取り付けられる。このように木材１０の角部に凹部２０，２１，２２を設けると、２方向が開口しているため、木材を重ねても凹部２０，２１，２２の位置が見つけ易くなるという利点がある。
【００１９】
図４乃至図６は断面形状が三角形、多角形、丸形等をなす木材２３，２５，２７に凹部２４，２６，２８，２９をそれぞれ形成した状態を示す斜視図である。図に示すように、木材２３，２５，２７は、例えば木造建築物の組立材として使用される所定の長さを有すもので、その形状は四角柱の角材でなくても、角部や曲面部分に凹部２４，２６，２８，２９を形成することが可能である。
【００２０】
また、図７に示すように、内部空間が円柱をなす孔を凹部３０として用いることも可能である。この凹部３０は、１０〜２０ｍｍ程度のボーリング孔加工等のプレカット加工で通常実施されている比較的容易な加工を施すことにより形成されている。なお、上述したように、凹部は各所に設けることができるが、小口と呼ばれる木材の切断端面に設けることが望ましく、加工に最も影響が少なく、木材が重なり難い位置である。
【００２１】
次に、ＩＣタグの取り付けをより確実なものにするための構成を説明する。図８は接着剤３１を用いてＩＣタグ１７を凹部３２内に固着する構造を示す断面図である。この接着剤３１は、凹部３２の底面とＩＣタグ１７との間に介在するように塗布されている。また、図９はＩＣタグ１７の上に接着剤３３を吹き付けて凹部３２内に固着する構造を示す断面図である。この接着剤３３は、樹脂状であっても良いものであり、ＩＣタグ１７の表面をコーティングするように被覆し、ＩＣタグ１７を固着する。
【００２２】
また、図１０は図７に示す孔状の凹部３０にＩＣタグ３４を筒状に屈曲させて挿入することで取り付ける構造を示す断面図である。このＩＣタグ３４は、図１２に示すように、ゴムシート、樹脂シート等の弾性材３５にＩＣチップ３６を埋め込むことにより構成されている。図７に示すように、ＩＣタグ３４を筒状に屈曲させて凹部３０内に押し込むと、凹部３０内で弾性材３５が広がって凹部３０の内面に密着し、ＩＣタグ３４は固定される。このようにＩＣタグ３４は、接着剤を使用することなく凹部３０内に取り付けることが可能である。また、弾性材３４を使用していないＩＣタグ１７であっても、図１１に示すように、凹部３０内に収めた後、凹部３０の開口部分を樹脂、接着剤、木製等からなる栓状部材３７で塞ぐことにより、凹部３０内に保持することが可能である。
【００２３】
また、接着剤３３あるいは栓状部材３７を着色すれば、ＩＣタグ１７の位置を容易に発見することができるようになり、作業性を向上させることができる。特に、接着剤３３を着色すると、ＩＣタグ１７の周囲にはみ出した接着剤により、あるいは吹き付けによってコーティングした接着剤により着色が視認でき、より明確にＩＣタグ１７の位置を示すことが可能となる。
【産業上の利用可能性】
【００２４】
本発明における木材は、主に住宅用建物の組立材として使用する木材に認証タグを取り付けることを対象としているが、家具や建造物、資材等に用いる木材や、木、プラスチック等からなる板材等にも同様に認証タグを取り付けることが可能である。
【図面の簡単な説明】
【００２５】
【図１】本発明の一実施例に係る木材用認証タグの取付構造を示す斜視図である。
【図２】ＩＣタグを示す斜視図である。
【図３】断面が矩形をなす木材の角部に凹部を設けた状態を示す斜視図である。
【図４】断面形状が三角形をなす木材に凹部を形成した状態を示す斜視図である。
【図５】断面形状が多角形をなす木材に凹部を形成した状態を示す斜視図である。
【図６】断面形状が丸形をなす木材に凹部を形成した状態を示す斜視図である。
【図７】内部空間が円柱をなす孔を凹部として形成した状態を示す斜視図である。
【図８】接着剤を用いてＩＣタグを凹部内に固着する構造を示す断面図である。
【図９】ＩＣタグの上に樹脂を吹き付けて凹部内に固着する構造を示す断面図である。
【図１０】図７に示す孔状の凹部にＩＣタグを筒状に屈曲させて挿入することで取り付ける構造を示す断面図である。
【図１１】凹部の開口部分を栓状部材で塞ぐことによりＩＣタグを保持する構造を示す断面図である。
【図１２】図１０に示すＩＣタグを示す斜視図である。
【図１３】従来の一般的なプレカット製品の加工、出荷等の流れを示すブロック図である。
【符号の説明】
【００２６】
１    木材倉庫
２    プレカット設備
３    建築現場
Ａ    住宅メーカ・工務店
Ｂ    プレカット会社
Ｃ    木材販売会社
１０，２３，２５，２７  木材
１４，１５，１６，２０，２１，２２，２４，２６，２８，２９，３０  凹部
１７，３４  ＩＣタグ
１８  フレキシブル基板
１９，３６  ＩＣチップ
２０ａ，２２ａ  底面
２０ｂ，２１ａ  側面
３５  弾性材
３７  栓状部材
【図１】
2012027947.tif 000003
【図２】
2012027947.tif 000004
【図３】
2012027947.tif 000005
【図４】
2012027947.tif 000006
【図５】
2012027947.tif 000007
【図６】
2012027947.tif 000008
【図７】
2012027947.tif 000009
【図８】
2012027947.tif 000010
【図９】
2012027947.tif 000011
【図１０】
2012027947.tif 000012
【図１１】
2012027947.tif 000013
【図１２】
2012027947.tif 000014
【図１３】
2012027947.tif 000015
【手続補正書】
【提出日】平成23年10月26日(2011.10.26)
【手続補正１】
【補正対象書類名】明細書
【補正対象項目名】０００７
【補正方法】変更
【補正の内容】
【０００７】
本発明の木材用認証タグの取付構造は、所定長さを有する木材に凹状部を設け、この凹状部内に認証タグを取り付ける木材用認証タグの取付構造において、前記認証タグは、弾性材にＩＣチップを埋め込むことにより形成され、前記弾性材の弾力によって前記凹状部内に取り付けられる木材用認証タグの取付構造である。また、前記認証タグは、前記凹状部内に収められるにあたり、該凹状部の開口部分を栓状部材で塞ぐことにより取り付けられる。また、前記栓状部材は着色されている。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
本発明によれば、凹状部を形成し、その中に弾性材にＩＣチップを埋め込んだ認証タグを収めることで、接着剤を使用することなく、認証タグを取り付けることができる。
【手続補正４】
【補正対象書類名】明細書
【補正対象項目名】００１１
【補正方法】変更
【補正の内容】
【００１１】
また、栓状部材を着色することで、認証タグの位置をより明確に示すことができる。